(57)【要約】【解決手段】電気コネクタ（１００）は前側ハウジング（１２０）を具備する。前側ハウジングは、複数のコンタクトを保持すると共に前側ハウジングの後部近傍に切断刃（１７４）を保持する。電気コネクタは、後側ハウジング（１２２）も具備する。後側ハウジングは、その前部に、内部に対応する電線（１４６）を受容する複数の電線溝（１８２）を有する電線オーガナイザ（１８０）を有する。後側ハウジングは外側支持壁を有する。外側支持壁は、電線溝から離間すると共に、電線溝の外側に配置される。外側支持壁は前縁（１９６，１９８）を有する。電線溝は、前縁を横切って延びる電線溝軸に沿って延びる。後側ハウジングと前側ハウジングの嵌合の際、切断刃は、電線オーガナイザから延びる電線をトリミングすると共に、外側支持壁及び電線オーガナイザ間に配置される。前側ハウジング及び後側ハウジングが互いに嵌合すると、電線はコンタクトに接続される。
2013515345.tif 000002
【特許請求の範囲】
【請求項１】
前側ハウジング（１２０）及び後側ハウジング（１２２）を具備する電気コネクタ（１００）であって、
前記前側ハウジングは、複数のコンタクトを保持すると共に前記前側ハウジングの後部近傍に切断刃（１７４）を保持し、
前記後側ハウジングは、該後側ハウジングの前部に電線オーガナイザ（１８０）を有し、
前記電線オーガナイザは、該電線オーガナイザの内部に対応する電線（１４６）を受容するよう構成された複数の電線溝（１８２）を有し、
前記後側ハウジングは外側支持壁を有し、
前記外側支持壁は、前記電線溝から離間すると共に、前記電線溝の外側に配置され、
前記外側支持壁は前縁（１９６，１９８）を有し、
前記電線溝は、前記前縁を横切って延びる電線溝軸に沿って延びており、
前記後側ハウジングと前記前側ハウジングの嵌合の際、前記切断刃は、前記電線オーガナイザから延びる前記電線をトリミングすると共に、前記外側支持壁及び前記電線オーガナイザ間に配置され、
前記前側ハウジング及び前記後側ハウジングが互いに嵌合すると、前記電線は前記コンタクトに接続されることを特徴とする電気コネクタ。
【請求項２】
前記電線は、該電線の２つの異なる長さに沿って前記電線溝及び前記外側支持壁の前記前縁によってそれぞれ支持され、
前記切断刃は、前記電線の前記２つの長さの間で前記電線をトリミングすることを特徴とする請求項１記載の電気コネクタ。
【請求項３】
前記後側ハウジング及び前記前側ハウジングの嵌合の間、前記切断刃は、前記電線溝軸に対して横断する嵌合方向に挿入され、
前記外側支持壁は、前記嵌合方向に沿った移動に抗して前記電線の末端を支持することを特徴とする請求項１記載の電気コネクタ。
【請求項４】
前記電線オーガナイザ及び前記外側支持壁の間にスロットが区画され、
前記電線は、前記スロットを横切って延びると共に、前記電線溝により前記スロットの一側に支持され、
前記電線は、前記外側支持壁の前記前縁により前記スロットの他側に支持され、
前記切断刃は、前記前側ハウジング及び前記後側ハウジングの嵌合時に前記スロットに受容され、
前記切断刃は、前記スロットに挿入されると前記電線を切断することを特徴とする請求項１記載の電気コネクタ。
【請求項５】
前記電線の各々は、第１部分（２２０）及び第２部分（２２２）を有し、
前記第２部分は、前記第１部分と前記電線の末端との間に画定され、
前記第１部分は、後方向に沿った移動に抗して対応する前記電線溝により支持され、
前記第２部分は、前記後方向に沿った移動に抗して前記外側支持壁により支持され、
前記第２部分は、前記前側ハウジング及び前記後側ハウジングの嵌合時に、前記切断刃によりトリミングされると共に前記第１部分から除去されることを特徴とする請求項１記載の電気コネクタ。
【請求項６】
前記外側支持壁の前記前縁と係合する前記電線の一部は、前記切断刃が前記電線をトリミングした後、除去されることを特徴とする請求項１記載の電気コネクタ。
【請求項７】
前記後側ハウジング及び前記前側ハウジングの嵌合の間、前記切断刃は、前記電線溝軸に対して横断する嵌合方向に挿入され、
前記電線の各々は、前記切断刃の放射方向外側で前記嵌合方向に沿った移動に抗して支持されることを特徴とする請求項１記載の電気コネクタ。
【請求項８】
前記電線溝は、該電線溝の前部で開放しており、
前記電線溝は、開放した前記前部とは反対側に後部を有し、
前記電線は、対応する前記電線溝の前記後部により後方向に沿った移動に抗して支持され、
前記外側支持壁の前記前縁は、前記電線溝の前記後部とほぼ共平面であることを特徴とする請求項１記載の電気コネクタ。
【請求項９】
前記前側ハウジングは、該前側ハウジングの後部で開放した溝を有し、
前記溝は、前壁及び互いに対向する側壁により区画され、
前記溝は、前記外側支持壁が前記側壁の双方と係合して、前記電線溝軸と平行な軸の周りの、前記前側ハウジングに対する前記後側ハウジングの回転に抗するように、前記外側支持壁を受容する寸法に設定されることを特徴とする請求項１記載の電気コネクタ。
【請求項１０】
前側ハウジング（１２０）及び後側ハウジング（１２２）を具備する電気コネクタ（１００）であって、
前記前側ハウジングは、複数のコンタクトを保持すると共に、前記前側ハウジングの後部に上側突出部及び下側突出部を有し、
前記前側ハウジングは、前記上側突出部から後方へ延びる上側切断刃（１７４）と、前記下側突出部から後方へ延びる下側切断刃（１７４）とを有し、
前記後側ハウジングは、該後側ハウジングの前部に電線オーガナイザ（１８０）を有し、
前記電線オーガナイザは、該電線オーガナイザの内部に対応する電線（１４６）を受容する複数の電線溝（１８２）を有し、
前記後側ハウジングは、該後側ハウジングから前方へ延びる上側支持壁（１６０）及び下側支持壁（１６２）を有し、
前記上側支持壁は、該上側支持壁と前記電線オーガナイザとの間に第１スロットが形成されるように、前記電線オーガナイザから離間しており、
前記下側支持壁は、該下側支持壁と前記電線オーガナイザとの間に第２スロットが形成されるように、前記電線オーガナイザから離間しており、
第１組の前記電線は、前記電線溝から前記第１スロットを横切って前記上側支持壁まで延びており、
第２組の前記電線は、前記電線溝から前記第２スロットを横切って前記下側支持壁まで延びており、
前記上側切断刃は前記第１スロット内に位置し、
前記下側切断刃は前記第２スロット内に位置し、
前記前側ハウジング及び前記後側ハウジングが互いに嵌合すると、前記上側切断刃が前記第１組の電線をトリミングすると共に、前記下側切断刃が前記第２組の電線をトリミングし、
前記前側ハウジング及び前記後側ハウジングが互いに嵌合すると、前記第１組及び前記第２組の電線は前記コンタクトに接続されることを特徴とする電気コネクタ。
【請求項１１】
前記第１組の電線の各々は、該電線の２つの異なる長さに沿って前記電線溝及び前記上側支持壁によってそれぞれ支持され、
前記上側切断刃は、前記電線の前記２つの長さの間で前記電線をトリミングし、
前記第２組の電線の各々は、該電線の２つの異なる長さに沿って前記電線溝及び前記下側支持壁によってそれぞれ支持され、
前記下側切断刃は、前記電線の前記２つの長さの間で前記電線をトリミングすることを特徴とする請求項１０記載の電気コネクタ。
【請求項１２】
前記電線の各々は、第１部分（２２０）及び第２部分（２２２）を有し、
前記第２部分は、前記第１部分と前記電線の末端との間に画定され、
前記第１部分は、後方向に沿った移動に抗して対応する前記電線溝により支持され、
前記第２部分は、前記後方向に沿った移動に抗して対応する前記上側支持壁又は前記下側支持溝により支持され、
前記第２部分は、前記前側ハウジング及び前記後側ハウジングの嵌合時に、対応する前記上側切断刃又は前記下側切断刃によりトリミングされると共に、前記第１部分から除去されることを特徴とする請求項１０記載の電気コネクタ。
【請求項１３】
前記後側ハウジングは、上面、下面、並びに互いに逆向きの第１側面及び第２側面を有し、
前記後側ハウジングは、前記第１及び第２の側面間に画定される幅を有し、
前記上側支持壁及び前記下側支持壁は、互いに異なる幅を有し、
前記上側支持壁及び前記下側支持壁の少なくとも一方の前記幅は、前記後側ハウジングの前記幅とは異なることを特徴とする請求項１０記載の電気コネクタ。
【請求項１４】
前記上側支持壁及び前記下側支持壁は、前記電気コネクタの外面を画定し、
前記上側支持壁及び前記下側支持壁は、異なる寸法に設定されると共に、前記前側ハウジングに形成された上溝及び下溝にそれぞれ受容され、
前記上側支持壁、前記下側支持壁、前記上溝及び前記下溝は、前記前側ハウジングに対して前記後側ハウジングを方向付ける極性構造を画定することを特徴とする請求項１０記載の電気コネクタ。
【発明の詳細な説明】
【技術分野】
【０００１】
本発明は、電気コネクタに関し、特に電気コネクタをケーブルに接続する方法及び装置に関する。
【背景技術】
【０００２】
電気通信業界で信号を伝送するために用いられる様々な電子システムは、電線が差動対で配置されたコネクタ組立体を有する。差動対の一方の電線は正の信号を搬送し、他方の電線は大きさが同じで極性が逆である負の信号を搬送する。ＲＪ−４５電気コネクタは、差動対で電気信号を伝送するために用いられるコネクタの一例である。
【発明の概要】
【発明が解決しようとする課題】
【０００３】
電気コネクタをケーブルに接続する効率及び利便性を改善する取り組みにおいて、整線構造及び切断刃が、電気コネクタに一体化されている。このような構成は、別体の整線治具を要することなく、電線を接続しトリミングすることができる。このような構造を用いた電気コネクタは、不利な点がない訳ではない。例えば、切断刃を有する公知の電気コネクタは、トリミング工程中に切断刃の一側で電線を支持するだけである。従って、電線は、片持ち梁状に支持されており、きちんとした切り口ではなく、曲がり易い。切断刃が鈍っている場合、又は電線支持部及び切断刃の間に隙間がある場合には、この状況はより悪くなる。このような訳で、硬い金属製の切断刃が使用されるので、電気コネクタ全体のコストが増大する。さらに、コネクタ組立体は、切断刃及び支持壁の間に隙間がないことを確保するために、極めてきつい許容差で製造されている。このような製造上の懸念は、電気コネクタ全体のコストを増大させてしまう。さらにまた、きちんと切断されておらず曲がってしまった電線は、延びて露出する導体という結果となり、部品間の短絡や、伝送性能及びリターンロスの劣化を潜在的にもたらすおそれがある。
【０００４】
従って、トリミング工程中に電線を適正に支持できる電気コネクタに対するニーズがある。
【課題を解決するための手段】
【０００５】
解決手段は、前側ハウジングを具備する電気コネクタにより提供される。前側ハウジングは、複数のコンタクトを保持すると共に前側ハウジングの後部近傍に切断刃を保持する。電気コネクタはまた、後側ハウジングを具備する。後側ハウジングは、その前部に電線オーガナイザを有する。電線オーガナイザは、その内部に対応する電線を受容する複数の電線溝を有する。後側ハウジングは外側支持壁を有する。外側支持壁は、電線溝から離間すると共に、電線溝の外側に配置される。外側支持壁は前縁を有する。電線溝は、前縁を横切って延びる電線溝軸に沿って延びる。後側ハウジングと前側ハウジングの嵌合の際、切断刃は、電線オーガナイザから延びる電線をトリミングすると共に、外側支持壁及び電線オーガナイザ間に配置される。前側ハウジング及び後側ハウジングが互いに嵌合すると、電線はコンタクトに接続される。
【０００６】
また、解決手段は、前側ハウジングを具備する電気コネクタにより提供される。前側ハウジングは、複数のコンタクトを保持すると共に、前側ハウジングの後部に上側突出部及び下側突出部を有する。前側ハウジングは、上側突出部から後方へ延びる上側切断刃と、下側突出部から後方へ延びる下側切断刃とを有する。電気コネクタはまた、後側ハウジングを具備する。後側ハウジングは、その前部に電線オーガナイザを有する。電線オーガナイザは、その内部に対応する電線を受容する複数の電線溝を有する。後側ハウジングはまた、後側ハウジングから前方へ延びる上側支持壁及び下側支持壁を有する。上側支持壁は、電線オーガナイザとの間に第１スロットが形成されるように、電線オーガナイザから離間する。下側支持壁は、電線オーガナイザとの間に第２スロットが形成されるように、電線オーガナイザから離間する。第１組の電線は、電線溝から第１スロットを横切って上側支持壁まで延びる。第２組の電線は、電線溝から第２スロットを横切って下側支持壁まで延びる。上側切断刃は第１スロット内に位置し、下側切断刃は第２スロット内に位置する。前側ハウジング及び後側ハウジングが互いに嵌合すると、上側切断刃が第１組の電線をトリミングすると共に、下側切断刃が第２組の電線をトリミングする。前側ハウジング及び後側ハウジングが互いに嵌合すると、第１組及び第２組の電線はコンタクトに接続される。
【図面の簡単な説明】
【０００７】
【図１】本発明の一実施形態に従って形成された電気コネクタを前方から見た斜視図である。
【図２】図１に示された電気コネクタを後方から見た分解図である。
【図３】図１に示された電気コネクタを前方から見た分解図である。
【図４】組立前の状態の電気コネクタを示す断面図である。
【図５】組立後の状態の電気コネクタを示す断面図である。
【発明を実施するための形態】
【０００８】
以下、添付図面を参照して本発明を例示により説明する。
【０００９】
図１は、本発明の一実施形態に従って形成された電気コネクタを前方から見た斜視図である。電気コネクタ１００はＲＪ−４５ジャックすなわちＲＪ−４５リセプタクルとして図示されているが、本明細書に記載された本発明は他のタイプの電気コネクタと共に使用してもよい。このため、ＲＪ−４５ジャックは単なる例示に過ぎない。電気コネクタ１００は、ケーブル１０１の端部に設けられる。典型的な一実施形態において、ケーブル１０１は、ツイストペア線構造等の差動対で配置された複数の電線を有する。
【００１０】
電気コネクタ１００は、前端すなわち嵌合端１０２と、電線接続端１０４とを有する。嵌合キャビティ１０６は、嵌合端１０２に設けられ、相手コネクタ（図示せず）を内部に受容するよう構成される。嵌合端１０２には、嵌合キャビティ１０６にアクセスできる嵌合端開口１０８が設けられる。ジャックコンタクト１１０は、相手コネクタの相手コンタクト（図示せず）と係合するために、嵌合キャビティ１０６内にアレー状に配列される。図１の実施形態において、嵌合キャビティ１０６は、嵌合端開口１０８を通って挿入されたＲＪ−４５プラグ（図示せず）を受け入れる。ＲＪ−４５プラグは、ジャックコンタクト１１０のアレーと電気接続する相手コンタクトを有する。
【００１１】
図２は、電気コネクタ１００を後方から見た分解図である。電気コネクタ１００は、前側ハウジング１２０、後側ハウジング１２２、及び前側ハウジング１２０に受容されるよう構成されたコンタクト副組立体１２４を具備する。コンタクト副組立体１２４は、ジャックコンタクト１１０、及び対応するジャックコンタクト１１０に電気接続される電線接続コンタクト１２６を具備する。任意であるが、ジャックコンタクト１１０は、電線接続コンタクト１２６及びジャックコンタクト１１０を電気的に相互接続する回路基板１２８を介して形成される導電経路等により、電線接続コンタクト１２６に間接的に結合されてもよい。或いは、ジャックコンタクト１１０は、電線接続コンタクト１２６に直接結合されてもよいし、電線接続コンタクト１２６と一体形成されてもよい。
【００１２】
前側ハウジング１２０は、ほぼ箱型であるが、特定用途によって任意の形状を有してもよい。前側ハウジング１２０は、その嵌合端１０２と後部１３０の間を延びる。嵌合キャビティ１０６は、前側ハウジング１２０の嵌合端１０２及び後部１３０間を少なくとも部分的に延びる。前側ハウジング１２０は、プラスチック材料等の誘電性材料で製造される。或いは、前側ハウジング１２０は、金属材料又は金属化されたプラスチック材料で製造されることにより、又は、前側ハウジング１２０に取り付けられたシールド部材や前側ハウジング１２０の囲み部を有することにより、シールドされてもよい。一実施形態において、前側ハウジング１２０は、壁パネルに実装するための１個以上のラッチ１３２を有する。前側ハウジング１２０はまた、その側壁にスロット１３４を有する。
【００１３】
コンタクト副組立体１２４は、回路基板１２８と、回路基板１２８に実装された基板１３６とを有する。基板１３６は電線接続コンタクト１２６を保持する。コンタクト支持部１３８は、基板１３６とは反対側の回路基板１２８の一面から延びる。ジャックコンタクト１１０は、回路基板１２８に接続されると共にコンタクト支持部１３８により支持される。任意であるが、ジャックコンタクト１１０は、回路基板１２８のスルーホールに実装されたピンを有してもよいし、回路基板１２８に半田付けされてもよい。或いは、回路基板１２８の代わりに、ジャックコンタクト１１０は、電線接続コンタクト１２６と直接嵌合するために、又はケーブルの電線に直接嵌合するために、基板１３６により支持されてもよい。コンタクト副組立体１２４は、ジャックコンタクト１１０が嵌合キャビティ１０６内に露出するように前側ハウジング１２０内に受容される。
【００１４】
電線接続コンタクト１２６は圧接コンタクトとして図示されているが、ケーブル１０１の個別電線に接続するために任意のタイプのコンタクトを設けてもよい。電線接続コンタクト１２６は、電気コネクタ１００が組み立てられる際に、コンタクト副組立体１２４の回路基板１２８に電気的及び機械的に結合されるよう構成される。例えば、電線接続コンタクト１２６は、回路基板１２８のスルーホール内に基板１３６から前方へ突出するピンを有してもよい。回路基板１２８に沿って経路が形成されるトレースは、電線接続コンタクト１２６をジャックコンタクト１１０に接続する。電線接続コンタクト１２６は、回路基板１２８のスルーホールに圧入又は半田付けされてもよい。組立時に、基板１３６は、前側ハウジング１２０の後部１３０に結合される。典型的な一実施形態において、基板１３６は、その複数の側面に前側ハウジング１２０のスロット１３４に受容されるタブ１４０を有し、コンタクト副組立体１２４及び基板１３６を前側ハウジング１２０に固定する。
【００１５】
後側ハウジング１２２は、組立の際に前側ハウジング１２０に結合するよう構成される。電気コネクタ１００が組み立てられると、後側ハウジング１２２は、電気コネクタ１００の電線接続端１０４に端キャップを区画する。後側ハウジング１２２は、電線接続端１０４を区画する端壁１４２を有する。後側ハウジング１２２はまた、後側ハウジング１２２を貫通してケーブル１０１を受容するよう構成された開口１４４を有する。開口１４４は端壁１４２を横方向に貫通する。後側ハウジング１２２は、ケーブル１０１及びそのケーブル１０１の個別電線１４６を受容し保持するよう構成される。典型的な一実施形態において、後側ハウジング１２２は、電気コネクタ１００及びケーブル１０１間にストレインリリーフを提供する。後側ハウジング１２２は、ケーブル１０１に対する後側ハウジング１２２の相対位置を保持するためにケーブル１０１をしっかりと把持する構造を有してもよい。後側ハウジング１２２は、ストレインリリーフを提供するようケーブル１０１に沿って端壁１４２から後方へ延びるフェルールを有してもよい。
【００１６】
後側ハウジング１２２は、上面１４８、下面１５０、互いに逆向きの側面１５２，１５４、前面１５６、及び前面１５６とは反対側の後面１５８を有する。典型的な一実施形態において、端壁１４２は後面１５８を画定する。後側ハウジング１２２は、上面１４８に沿って上側支持壁１６０を、下面１５０に沿って下側支持壁１６２を有する。上側支持壁１６０及び下側支持壁１６２は、後側ハウジング１２２の外壁を画定し、電気コネクタ１００の外壁を画定してもよい。両側面１５２，１５４は、それらの面から外側に延びるタブ１６４を有する。タブ１６４は、後側ハウジング１２２を前側ハウジング１２０に固定するよう前側ハウジング１２０のスロット１３４に受容されるよう構成される。
【００１７】
前側ハウジング１２０は、その後部１３０に上溝１６６及び下溝１６８を有する。後側ハウジング１２２の上側支持壁１６０及び下側支持壁１６２は、後側ハウジング１２２が前側ハウジング１２０に嵌合する際に、上溝１６６及び下溝１６８にそれぞれ受容されるよう構成される。後側ハウジング１２２は、前側ハウジング１２０の幅とほぼ等しい両側面１５２，１５４間に定義される幅１７０を有する。典型的な一実施形態において、上側支持壁１６０及び下側支持壁１６２は互いに異なる幅を有する。例えば、下側支持壁１６２は、下側支持壁１６２が後側ハウジング１２２の幅１７０とほぼ同じ幅を有するように、側面１５２から側面１５４に延びる。上側支持壁１６０の両側面は、上側支持壁１６０が後側ハウジング１２２の幅１７０や下側支持壁１６２より小さい幅を有するように、側面１５２や側面１５４から窪んでいる。このような訳で、上側支持壁１６０及び下側支持壁１６２は、互いに異なる寸法であってもよい。同様に、上溝１６６及び下溝１６８は、上側支持壁１６０及び下側支持壁１６２をそれぞれ収容するよう互いに異なる寸法であってもよい。この寸法差のため、上側支持壁１６０及び下側支持壁１６２並びに上溝１６６及び下溝１６８は、前側ハウジング１２０及び後側ハウジング１２２のための極性構造として作用する。例えば、下側支持壁１６２は、下側支持壁１６２が上溝１６６に嵌まらないように、上溝１６６より寸法が大きく設定されている。上側支持壁１６０及び下側支持壁１６２は電気コネクタ１００の外面を区画するので、前側ハウジング１２０に対して後側ハウジング１２２の適正な方向性が電気コネクタ１００を組み立てる作業者にとって視覚的に明らかになる。
【００１８】
前側ハウジング１２０は、その後部１３０に上側切断刃１７４及び下側切断刃１７６を有する。上側切断刃１７４及び下側切断刃１７６は、後側ハウジング１２２及び前側ハウジング１２０の組立の際、電線１４６をトリミングするよう構成される。例えば、電線１４６は、後側ハウジング１２２が前側ハウジング１２０に挿入されると切断刃１７４，１７６が電線１４６にスライスするように、後側ハウジング１２２により保持される。切断刃１７４，１７６は、前側ハウジング１２０と一体部品であると共に、電気コネクタ１００の組立後は前側ハウジング１２０に取り付けられたままである。切断刃１７４，１７６はコネクタの組立中に電線１４６をトリミングするよう作用するので、電線１４６は、後側ハウジング１２２及び前側ハウジング１２０の嵌合前に別体の工具又はデバイスによりトリミングされる必要はない。
【００１９】
図３は、後側ハウジング１２２が前側ハウジング１２０と嵌合するために配置された状態の、電気コネクタ１００を前方から見た分解図である。コンタクト副組立体１２４（図２参照）は、前側ハウジング１２０内に挿入されて図示される。
【００２０】
後側ハウジング１２２の前部１５６に、電線オーガナイザ１８０が設けられる。電線オーガナイザ１８０は、個別電線１４６（破線で図示）を１本ずつ受容する複数の溝１８２を有する。電線溝１８２は、後側ハウジング１２２が前側ハウジング１２０と嵌合する際に、電線接続コンタクト１２６（図２参照）と嵌合するための所定位置に電線１４６を保持する。電線オーガナイザ１８０は、後側ハウジング１２２が前側ハウジング１２０と嵌合する工程とは異なる組立工程の間、コンタクト副組立体１２４に電線１４６を別々に接続する整線デバイスの代わりに使用される。電線オーガナイザ１８０は、後側ハウジング１２２と一体部品であると共に、電線コネクタ１００の組立後、後側ハウジング１２２に設けられたままである。電線オーガナイザ１８０は、後側ハウジング１２２が前側ハウジング１２０と嵌合する同じ組立工程の間、電線１４６が電線接続コンタクト１２６に接続されるように、電線１４６を保持する。
【００２１】
図示の実施形態において、電線オーガナイザ１８０は、上列及び下列にそれぞれ４個の電線溝１８２を有する。電線溝１８２は、所定の電線配列に従って電線１４６を受容する。例えば、電線１４６は、差動信号を搬送する電線対の一部であってもよく、所定パターンで配列されなければならない。各電線溝１８２は、対応する電線接続コンタクト１２６を受容するコンタクトスロット１８４を有する。任意であるが、コンタクトスロット１８４は、千鳥配列され、隣接するコンタクトスロット１８４に対してずれていてもよい。
【００２２】
電線溝１８２は、後側ハウジング１２２の前部１５６で開口１８６により露出する。電線溝１８２は、開口１８６から電線溝１８２の後部１９０まで延びる壁１８８を有する。組立中において、ケーブル１０１（図２参照）は、ケーブル軸１９２に沿って開口１４４を通過する。個別電線１４６の一部は露出し、必要な場合は撚りが解かれる。次に、電線１４６は、対応する電線溝１８２に対して上方又は下方に曲げられる。電線１４６は、電線溝１８２の後部１９０に対して載置されるまで、開口１８６を通って電線溝１８２内に挿入される。電線１４６は、電線溝１８２内に一旦配置されると、電線軸１９２にほぼ直交する電線溝軸１９４に沿ってほぼ延びる。
【００２３】
典型的な一実施形態において、上側支持壁１６０及び下側支持壁１６２は、前方への片持ち梁状であると共に、前縁１９６，１９８までそれぞれ延びる。前縁１９６，１９８は、電線１４６が電線オーガナイザ１８０内へ整線される際に、電線１４６用の支持面を画定する。典型的な一実施形態において、前縁１９６，１９８は、電線溝１８２の後部１９０とほぼ共平面である。このような訳で、電線１４６は、前縁１９６，１９８を横切って真っ直ぐに電線溝から垂直に延びる。任意であるが、前縁１９６，１９８は、電線１４６を受容したり位置決めしたりする溝すなわちスロットを有してもよい。溝は、その中に電線１４６をしっかりと保持する指部を有したり、湾曲したりしてもよい。別の一実施形態において、上側支持壁１６０及び下側支持壁１６２は、前縁１９６，１９８上に電線１４６を載置するのではなく、個別電線１４６を受容する開口を有してもよい。これらの開口は、電線溝１８２とほぼ整列してもよい。別の一実施形態において、前縁１９６，１９８は、それらが後部１９０と共平面ではなくなるように、溝１８２の後部１９０の前方又は後方に配置されてもよい。任意であるが、前縁１９６，１９８は、後側ハウジング１２２と前側ハウジング１２０との適正な方向性のための極性構造を画定するように、互いに共平面でなくてもよい。
【００２４】
上側支持壁１６０及び下側支持壁１６２は、電線オーガナイザ１８０から電線オーガナイザ１８０の垂直方向上下にそれぞれ離間している。第１スロット２００は、上側支持壁１６０及び電線オーガナイザ１８０の上面２０２の間に画定される。第２スロット２０４は、下側支持壁１６２及び電線オーガナイザ１８０の下面２０６の間に画定される。スロット２００，２０４は、後側ハウジング１２２が前側ハウジング１２０と嵌合する際に、切断刃１７４，４７６（図２参照）を受容する空間を画定する。
【００２５】
後側ハウジング１２２の上面に整線される電線１４６について、上側支持壁１６０は電線１４６用の外側支持壁を画定し、電線オーガナイザ１８０は電線１４６用の内側支持壁を画定する。より具体的には、電線１４６の第１部すなわち外部は、矢印Ａで示される後方向に沿った後方移動に抗して前縁１９６により支持される。そして、電線１４６の第２部すなわち内部は、上面２０２で電線溝１８２の後部１９０により支持される。例えば、電線１４６は、後方向Ａに沿った後方移動に抗してＢ点及びＣ点で支持される。このような訳で、電線１４６は、その２つの異なる長さに沿って、すなわち、電線溝１８２及び外側支持壁の前縁１９６により、支持される。電線１４６は切断刃１７４の放射方向外側で（例えば、切断刃１７４の垂直方向上に）後方向Ａに沿った移動に抗して支持されるので、電線１４６の末端は、後方向に沿った移動を制限される。この追加の支持は、トリミング工程の間、電線１４６が電線溝１８２（Ｃ点）のみで支持されこのＣ点から片持ち梁状になっている場合よりも極めて信頼性高く電線１４６を所定位置に保持する傾向がある。Ｃ点では、電線１４６は、トリミング工程の間、切断刃１７４が係合する際に後方へ変形する傾向がある。このような変形は、電線１４６の切り口がきれいではなく、部品間の短絡や、伝送性能及びリターンロスの劣化を潜在的にもたらす導体の伸び及び露出という結果となる。しかし、上側切断刃１７４の垂直方向上に支持部を追加することにより、電線１４６の末端は、後方向に沿った移動に抗して支持される。後側ハウジング１２２が前側ハウジング１２０と嵌合する際に、上側切断刃１７４は、電線１４６の２つの支持長さの間（例えば、Ｂ点及びＣ点の間）で電線をトリミングする。外側支持壁の前縁１９６と係合する電線１４６の一部は、一旦トリミングされると、除去される。
【００２６】
後側ハウジング１２２の下面に整線される電線１４６について、下側支持壁１６２は電線１４６用の外側支持壁を画定し、電線オーガナイザ１８０は電線１４６用の内側支持壁を画定する。より具体的には、電線１４６の外部は、矢印Ｄで示される後方向に沿った後方移動に抗して前縁１９８により支持される。そして、電線１４６の内部は、下面２０６で電線溝１８２の後部１９０により支持される。例えば、電線１４６は、後方向Ｄに沿った後方移動に抗してＥ点及びＦ点で支持される。このような訳で、電線１４６は、その２つの異なる長さに沿って、すなわち、電線溝１８２及び外側支持壁の前縁１９８により、支持される。電線１４６は切断刃１７６の放射方向外側で（例えば、切断刃１７６の垂直方向下に）後方向Ｄに沿った移動に抗して支持されるので、電線１４６の末端は、後方向に沿った移動を制限される。この追加の支持は、トリミング工程の間、電線１４６が電線溝１８２（Ｆ点）のみで支持されこのＣ点から片持ち梁状になっている場合よりも極めて信頼性高く電線１４６を所定位置に保持する傾向がある。下側切断刃１７６の垂直方向下に支持部を追加することにより、電線１４６の末端は、後方向に沿った移動に抗して支持される。後側ハウジング１２２が前側ハウジング１２０と嵌合する際に、下側切断刃１７６は、電線１４６の２つの支持長さ（例えば、Ｂ点及びＣ点の間）の間で電線をトリミングする。外側支持壁の前縁１９８と係合する電線１４６の一部は、一旦トリミングされると、除去される。
【００２７】
上溝１６６は、それが開放した後部を有するように、前側ハウジング１２０の後部１３０で開放する。上溝１６６はまた、開放した上面を有する。上溝１６６は、前壁２１０及び互いに対向する両側壁２１２，２１４により区画される。上溝１６６は、上側支持壁１６０が両側壁２１２，２１４と係合して前側ハウジング１２０に対する後側ハウジング１２２の回転に抗するように、後側ハウジング１２２の上側支持壁１６０を受容する寸法に設定される。例えば、ケーブル１０１が左右に引っ張られると、上側支持壁１６０が側壁２１２，２１４の一方と干渉し、後側ハウジング１２２の左右の移動に抗する。言い換えると、上側支持壁１６０及び両側壁２１２，２１４間の干渉は、電線溝軸１９４と平行な回転軸２１６の周りの後側ハウジング１２２の回転に抗する。
【００２８】
図４は、電線オーガナイザ１８０に保持され上側支持壁１６０及び下側支持壁１６２により支持された電線１４６を示す、組立前の状態の電気コネクタ１００の断面図である。各電線１４６は、第１部分２２０及び第２部分２２２を有する。第２部分２２２は、電線１４６の第１部分２２０及び末端２２４の間に区画される。第１部分２２０は、矢印Ｇで示される後方向に沿った移動に抗して、電線溝１８２で代表される内側支持壁により支持される。第２部分２２２は、矢印Ｇで示される後方向に沿った移動に抗して、上側支持壁１６０及び下側支持壁１６２で代表される対応する外側支持壁により支持される。第２部分２２２は、前側ハウジング１２０及び後側ハウジング１２２が嵌合する際に、対応する切断刃１７４，１７６によりトリミング工程され、第１部分２２０から除去されるよう構成される。
【００２９】
スロット２００，２０４は、電線オーガナイザ１８０と、上側支持壁１６０及び下側支持壁１６２との間にそれぞれ画定される。電線１４６は、前側ハウジング１２０及び後側ハウジング１２２の嵌合時に、切断刃１７４，１７６が電線１４６をスライスするように切断刃１７４，１７６と一致するスロット２００，２０４を横切って延びる。上側の電線１４６については、電線溝１８２によりスロット２００の一側に支持され、上側支持壁１６０によりスロット２００の他側に支持される。上側切断刃１７４は、前側ハウジング１２０及び後側ハウジング１２２の嵌合時に、スロット２００に受容されるよう構成される。電線１４６は、電線１４６が切断刃１７４によりスライスされる位置の垂直方向上で支持される。下側の電線１４６については、電線溝１８２によりスロット２０４の一側に支持され、下側支持壁１６２の前縁１９８によりスロット２０４の他側に支持される。下側切断刃１７６は、前側ハウジング１２０及び後側ハウジング１２２の嵌合時に、スロット２０４に受容されるよう構成される。電線１４６は、電線１４６が切断刃１７６によりスライスされる位置の垂直方向下で支持される。
【００３０】
図５は、後側ハウジング１２２が前側ハウジング１２０に嵌合した組立後の状態の電気コネクタ１００を示す断面図である。電気コネクタ１００が組み立てられると、電線オーガナイザ１８０は、前側ハウジング１２０の後端に受容される。電線１４６はその切り口がきちんとされ、第２部分２２２（図４参照）は除去されている。電線１４６の端部は、前側ハウジング１２０の内面２３０にほぼ対面する。
【００３１】
切断刃１７４，１７６は、前側ハウジング１２０の後部１３０で上側突出部２３２及び下側突出部２３４に実装される。上側突出部２３２及び上側切断刃１７４は、電線オーガナイザ１８０の上面２０２により画定される内側支持壁と、上側支持壁１６０により画定される外側支持壁との間の第１スロット２００に受容される。下側突出部２３４及び下側切断刃１７６は、電線オーガナイザ１８０の下面２０６により画定される内側支持壁と、下側支持壁１６２により画定される外側支持壁との間の第２スロット２０４に受容される。切断刃１７４，１７６が電線１４６の後方に位置するので、電線１４６は切断刃１７４，１７６に電気的に接触せず、電気短絡が生じない。
【符号の説明】
【００３２】
１００  電気コネクタ
１２０  前側ハウジング
１２２  後側ハウジング
１４６  電線
２２０    第１部分
２２２    第２部分
１６０  上側支持壁
１６２  下側支持壁
１６６  上溝（溝）
１７４  切断刃
１８０  電線オーガナイザ
１８２  電線溝
１９６  前縁
１９８  前縁
２１０  前壁
２１２  側壁
２１４  側壁
【図１】
2013515345.tif 000003
【図２】
2013515345.tif 000004
【図３】
2013515345.tif 000005
【図４】
2013515345.tif 000006
【図５】
2013515345.tif 000007
【国際調査報告】
2013515345.tif 000008
2013515345.tif 000009